(57)【要約】【課題】電線を接続する端子が露出したり、水分や塩分などが内部に侵入し難く、また、より多くの電線を接続可能な構造にすることにより、経年劣化を少なくするとともに、長期間に亘って分岐する電線を追加接続することのできる分岐端子箱を提供すること。【解決手段】電柱１０１等に取り付けられて、該電柱に架設されている配電線から分岐された引下電線が接続されるとともに、消費先のそれぞれに引き回す引込電線が複数接続されることにより商用電力の配電線を分岐する分岐端子箱１０であって、電線を下面の差込口１３ａに差し込んで接続する接続端子１２がベース部材１４内に並列されている端子部と、この端子部の側面側を覆うと共に水平方向にスライド可能にスライド部３２により支持する側面部材と、この側面部材を水平に支持して電柱などに取付固定する取付金具と、を備える。【選択図】図８
2009207221.tif 000002
【特許請求の範囲】
【請求項１】
電柱やアーム等の支持部材に取り付けられて、該電柱に架設されている配電線から分岐された引下電線が接続されるとともに、消費先のそれぞれに引き回す引込電線が複数接続されることにより商用電力の配電線を分岐する分岐端子箱であって、
前記支持部材に水平の姿勢になるように取り付ける取付部と、前記電線を接続する複数の接続端子が該水平方向に配列されている本体部と、前記接続端子が内部に位置するように前記本体部を内装するケース部材と、を備えており、
前記ケース部材は、前記本体部の前記接続端子に接続する前記電線の差込口が下部に配設される一方、
前記本体部の前記接続端子は、下方から差し込まれた前記電線を保持しつつ導通接続することを特徴とする分岐端子箱。
【請求項２】
前記本体部の前記接続端子は、下方から差し込まれる前記電線を保持する保持部を複数備えており、
前記保持部の少なくとも１箇所は、前記電線を弾性力により保持する弾性保持部に設計されているとともに、他の前記保持部の少なくとも１箇所は、前記電線をネジ止めすることにより保持するネジ止め保持部に設計されていることを特徴とする請求項１に記載の分岐端子箱。
【請求項３】
前記ケース部材は、少なくとも前記接続端子に前記電線を接続する作業空間側を閉塞する部分が前記取付部側に固設されており、
前記本体部は、前記ケース部材内から前記接続端子の配列方向に引き出すことにより前記電線を接続する前記接続端子の作業空間を露出させる構造に設計されていることを特徴とする請求項１または請求項２に記載の分岐端子箱。
【請求項４】
前記ケース部材は、前記本体部の前記接続端子に接続する前記電線の前記差込口として、前記電線の差込空間を円錐形に形成する内面部を備えており、
前記内面部は、前記接続端子の近傍に開口する円錐形先端側の差込端部まで前記本体部を外部から遮蔽する空間内に内装するように連続する面に形成されていることを特徴とする請求項１から請求項３のいずれか一項に記載の分岐端子箱。
【請求項５】
前記本体部の前記接続端子は、棒状の接続電極を差し込んでネジ止めすることにより導通接続する構造に設計されていることを特徴とする請求項１から請求項４のいずれか一項に記載の分岐端子箱。
【発明の詳細な説明】
【技術分野】
【０００１】
本発明は、商用電力を配電する配電線から分岐された引下電線と消費先のそれぞれに引き回す複数の引込電線とを接続する分岐端子箱に関し、詳しくは、経年劣化を少なく長期間に亘って信頼性高く使用することができるものに関する。
【背景技術】
【０００２】
従来、電柱に架設されている配電線から各家庭などの消費先に電線を引き回すために分岐させる場合には、例えば、図１３〜図１５に示すように、電柱１０１の変圧器１０３の低圧側から引き出されている引下電線１０７をその電柱１０１の腕金アーム１０５に取り付けられている分岐端子箱１１０内の端子Ｔに接続するとともに、各家庭などに引き回す引込電線１０８をその分岐端子箱１１０内の別個の端子Ｔに接続することにより、分岐させることが行われている。
【０００３】
この分岐端子箱１１０は、電柱１０１の腕金アーム１０５に取り付けた取付用部品１０６により吊り下げられている状態で設置されており、カバー１１２のネジ止めを解除してそのカバー１１２を引き下げるように回動させることにより、直列に配列されている複数の端子Ｔ１〜Ｔ５を露出させることができ、例えば、そのカバー１１２の側面に引下電線１０７を差し込む穴を開口させて最下部の端子Ｔ５にネジ止めするとともに、複数の引込電線１０８も同様にカバー１１２の側面に差込穴を開口させて端子Ｔ１〜Ｔ４にネジ止めすることにより、分岐接続することができるように設計されている。
【０００４】
また、異なる構造で電線を分岐接続する分岐端子箱としては、複数の引下電線（幹線）をそれぞれ導通電極板に接続するとともに、その導通電極板に複数の引込電線（分岐線）を接続するものも提案されており、この分岐端子箱でも、正立する姿勢で固定支持されて、上下方向に延在する導通電極板にそれぞれの電線の先端に接続されている端子をそれぞれネジ止めする構造に設計されている（例えば、特許文献１参照）。
【特許文献１】特開平９−１０７６０８号公報
【発明の開示】
【発明が解決しようとする課題】
【０００５】
しかしながら、このような従来の分岐端子箱にあっては、正立する本体部の前面側から閉塞するようにカバーを取り付けることから、そのネジ等が外れるなどして取付状態が甘くなってしまうと、内部が露出してしまって、端子部等が錆びてしまい分岐させる引込電線を追加して接続することができない状態になってしまう場合がある。
【０００６】
特に、図１４に示す分岐端子箱にあっては、側面側に電線の差込穴を開口させることから、内部に水分や塩分などが侵入して、錆びてしまうなどの経年劣化が進み易く、この要因によっても、引込電線の追加接続が不能な状態になってしまう場合がある。
【０００７】
さらに、電線を端子に接続する作業をカバーを空けて開放した状態にした前面側から行うことから、その前面側に端子を配列する構造になる。また、その分岐端子箱も無闇に大きくすることもできないため、その端子の配列数が、例えば、図１４および図１５に示す分岐端子箱でも５個の端子Ｔ１〜Ｔ５になって、引込電線の分岐本数としては最大４本と限られてしまっている。
【０００８】
また、この分岐端子箱に接続する電線は、複数本の銅線を撚って容量と曲げ性を確保する撚り線を用いることが一般的であるが、撚り線は端子にネジ止めして導通接続する場合には、押し付けられる圧力に応じて徐々に断面形状が変化して緩んでしまう場合がある。
【０００９】
そこで、本発明は、電線を接続する端子が露出したり、水分や塩分などが内部に侵入し難く、また、より多くの電線を接続可能な構造にすることにより、経年劣化を少なくするとともに、長期間に亘って分岐する電線を追加接続することのできる分岐端子箱を提供することを目的とする。
【課題を解決するための手段】
【００１０】
上記課題を解決する分岐端子箱の第１の発明は、電柱やアーム等の支持部材に取り付けられて、該電柱に架設されている配電線から分岐された引下電線が接続されるとともに、消費先のそれぞれに引き回す引込電線が複数接続されることにより商用電力の配電線を分岐する分岐端子箱であって、前記支持部材に水平の姿勢になるように取り付ける取付部と、前記電線を接続する複数の接続端子が該水平方向に配列されている本体部と、前記接続端子が内部に位置するように前記本体部を内装するケース部材と、を備えており、前記ケース部材は、前記本体部の前記接続端子に接続する前記電線の差込口が下部に配設される一方、前記本体部の前記接続端子は、下方から差し込まれた前記電線を保持しつつ導通接続することを特徴とするものである。
【００１１】
この発明では、本体部の複数の接続端子が水平方向に配列されている状態で支持されてカバー部材内に収容されるとともに、そのケース部材の下部側の差込口から電線を差し込んでその接続端子に保持させて導通接続させることができる。したがって、本体部の前面側を開閉する機構が必要なく、その開閉機構の経年劣化やネジ等の紛失などによりカバー部材による閉塞が甘くなって接続端子を露出させてしまうことを回避することができ、また、側面に差込穴が形成されている場合よりも内部に侵入する水分や塩分を少なくすることができる。
【００１２】
上記課題を解決する分岐端子箱の第２の発明は、上記第１の発明の特定事項に加え、前記本体部の前記接続端子は、下方から差し込まれる前記電線を保持する保持部を複数備えており、前記保持部の少なくとも１箇所は、前記電線を弾性力により保持する弾性保持部に設計されているとともに、他の前記保持部の少なくとも１箇所は、前記電線をネジ止めすることにより保持するネジ止め保持部に設計されていることを特徴とするものである。
【００１３】
この発明では、ケース部材の下部側の差込口から電線を差し込むだけで、ネジ止めすることなくその電線を弾性保持部により保持することができ、この後に、ネジ止め保持部でネジ止めすることができる。したがって、下方から差し込む電線を支えることなく、その電線を仮保持した状態のままネジ止めして導通接続する作業を行うことができる。
【００１４】
上記課題を解決する分岐端子箱の第３の発明は、上記第１または第２の発明の特定事項に加え、前記ケース部材は、少なくとも前記接続端子に前記電線を接続する作業空間側を閉塞する部分が前記取付部側に固設されており、前記本体部は、前記ケース部材内から前記接続端子の配列方向に引き出すことにより前記電線を接続する前記接続端子の作業空間を露出させる構造に設計されていることを特徴とするものである。
【００１５】
この発明では、複数の接続端子が配列されている水平方向に本体部をケース部材内から引き出すことにより、その接続端子の接続作業空間を外部に露出させることができる。したがって、ケース部材内に本体部を押込む方向にスライドさせるだけでその本体部をケース部材内に閉塞状態に収容することができるとともに、解放されている空間内に本体部を引き出す構造に設計することができ、一面側だけでなく、その本体部の両側に接続端子（作業空間）を配列することができる。
【００１６】
上記課題を解決する分岐端子箱の第４の発明は、上記第１から第３のいずれかの発明の特定事項に加え、前記ケース部材は、前記本体部の前記接続端子に接続する前記電線の前記差込口として、前記電線の差込空間を円錐形に形成する内面部を備えており、前記内面部は、前記接続端子の近傍に開口する円錐形先端側の差込端部まで前記本体部を外部から遮蔽する空間内に内装するように連続する面に形成されていることを特徴とするものである。
【００１７】
この発明では、ケース部材の下部側の差込口から差し込む電線の端部を、その差込口の差込空間を形成して外部から遮蔽する円錐形の内面部に密着させることができ、外部と連通する隙間を閉塞することができる。したがって、下部側から侵入する水分や塩分をも遮断することができる。
【００１８】
上記課題を解決する分岐端子箱の第５の発明は、上記第１から第４のいずれかの発明の特定事項に加え、前記本体部の前記接続端子は、棒状の接続電極を差し込んでネジ止めすることにより導通接続する構造に設計されていることを特徴とするものである。
【００１９】
この発明では、電線の先端に接続されている棒状の接続電極が差し込まれて、その接続電極を接続端子にネジ止めして導通接続させることができる。したがって、その電線の接続電極に接続端子を強力に圧接させることができ、その断面形状が撚り線のように変形してしまうことなく、導通接続されている状態を信頼性高く維持することができる。
【発明の効果】
【００２０】
このように本発明によれば、水平方向に配列した複数の接続端子をカバー部材内に収容して下部側の差込口から電線を差し込んで導通接続させる構造に設計されているので、ネジ等の紛失などによりカバー部材による閉塞が甘くなって経年劣化を促進する状態になることを回避することができるとともに、側面に差込穴が形成されている場合よりも内部に侵入する水分や塩分を少なくして、その経年劣化をより遅くすることができる。したがって、長期間に亘って接続端子に電線を快適に追加接続することができる。
【００２１】
さらに、ケース部材の下部側から差し込む電線を弾性力により仮保持してネジ止めすることを可能にすることにより、下方から差し込む構造でも電線の接続作業を容易に行うことができ、その電線の先端に棒状の接続電極を取り付けて接続端子に接続する構造にすることにより、断面形状が撚り線のように変形してしまうことなく、接続端子を強力に圧接させて導通接続させることができる。また、その差し込む電線により内部への隙間を閉塞する構造にすることにより、下部側から侵入する水分や塩分を確実に遮断することができ、より長期間に亘って接続端子に電線を快適に追加接続することができる。
【００２２】
また、そのケース部材から本体部を接続端子の配列方向の水平方向に引き出す構造にすることにより、ケース部材内から接続端子の作業空間内に本体部を容易に引き出すことができるとともに、多くの接続端子をその本体部の両側に配列して電線の接続可能な本数を多く確保することができる。
【発明を実施するための最良の形態】
【００２３】
以下、本発明の最良の実施形態を図面に基づいて説明する。図１〜図１２は本発明に係る分岐端子箱の一実施形態を示す図である。ここで、本実施形態は、図１３に示す従来の分岐端子箱１１０と同様に、電柱１０１に架設されて商用電力を配電する配電線を分岐する際に利用するものであることから、その図面を流用して説明する。
【００２４】
図１において、分岐端子箱１０は、図１３に示す電柱１０１の変圧器１０３の低圧側から引き出されている引下電線（配電線）１０７と共にその電力を利用する各家庭などに配電可能に引き回す引込電線（配電線）１０８を互いに導通接続させる複数の接続端子１２が並列されている端子部１１と、この端子部１１の接続端子１２が外部に露出しないように内装する側面部材３１と、その電柱１０１自体や電柱１０１に固設されている腕金アーム１０５に水平の姿勢になるように取り付けられる取付金具（取付部）４１と、を備えることにより商用電源を配電する配電線の分岐接続を実現しており、その端子部１１および側面部材３１が水平姿勢になるように電柱１０１や腕金アーム１０５に取付金具４１により取付・支持されることにより端子部１１の接続端子１２を水平方向に配列された状態に設置して利用することができるように設計されている。
【００２５】
ここで、引下電線１０７や引込電線１０８は、導電体が撚り線である場合には、図２に示すように、その先端側の外被を剥いで露出させた撚り線の導電体に不図示の圧着部を圧縮接続させることにより、円柱形状に作製されている電極棒（接続電極）１０９が先端側端部に導通接続されており、その圧着部などには、絶縁性を有する樹脂材料よりなる円筒部材１４０が取り付けられて導通部分が露出しないように作製されている。
【００２６】
端子部１１は、図３に示すように、同一構造に設計されて組み付けられる接続端子１２が長さ方向に複数並列されているとともに、その長さ方向に対する左右両側に位置するようにも配列されており、その接続端子１２に導通接続させる引下電線１０７や引込電線１０８の電極棒１０９を差し込む差込口１３ａは、図１に図示する姿勢で電柱１０１や腕金アーム１０５に取付・支持されてそれぞれ下方に向って開口するように下部側に配設されている。
【００２７】
この端子部１１は、絶縁性を有する樹脂材料、例えば、ボリエステル樹脂により作製されているベース部材（本体部）１４内に、下部側に差込口１３ａを開口させる差込経路１３が形成されており、差込口１３ａに差し込まれた引下電線１０７や引込電線１０８の先端側の電極棒１０９に導通接続させることができるように接続端子１２がその差込経路１３内に露出するように組み付けられている。この差込経路１３は、差込口１３ａが底面部を開口させる円錐形状に形成されているとともに、その頂部側には同一径で連続する筒形状の差込部１３ｂが連設されており、その差込部１３ｂ内に接続端子１２が露出するように配設されている。
【００２８】
これにより、端子部１１は、図４に示すように、差込経路１３の差込口１３ａから差込部１３ｂ内に電極棒１０９を差し込む引下電線１０７や引込電線１０８の先端側の円筒部材１４０の外周部１４０ａを、その差込口１３ａの内面１３ｃに押し付けて概略閉塞することができ、差込経路１３を外部から遮断する空間にすることにより内部に水分や塩分を含んだ外気が侵入して接続端子１２や電極棒１０９の劣化が促進されてしまうことを防止することができる。また、この端子部１１の差込経路１３の差込部１３ｂ内には、差込口１３ａから引下電線１０７や引込電線１０８を接続させていないダミーの電極棒１０９や絶縁性を有する樹脂製の接続棒を差し込んで円筒部材１４０により閉塞・遮断して内部の接続端子１２が侵入する外気により劣化してしまうことを防止することもできる。なお、図４（ａ）には、引下電線１０７や引込電線１０８が細めの電線を使用している場合を図示しており、図４（ｂ）には、引下電線１０７や引込電線１０８が太めの電線を使用している場合を図示している。
【００２９】
接続端子１２は、引下電線１０７や引込電線１０８の電極棒１０９に導通接続させる２組の接触電極１２ａ〜１２ｄが上下２段に配列されており、この接触電極１２ａ、１２ｂと接触電極１２ｃ、１２ｄのそれぞれが、差込経路１３の差込部１３ｂ内まで差し込まれた電極棒１０９に導通接続するとともに引き抜き不能に接続保持することにより、引下電線１０７や引込電線１０８同士を導通接続させるように設計されている。
【００３０】
接触電極１２ａは、差込経路１３の差込部１３ｂの上部側で端子部１１の内側に位置するようにベース部材１４に取り付けられており、接触電極１２ｂは、その差込経路１３の差込部１３ｂの上部側で端子部１１の外側に位置するとともにその接触電極１２ａに対向して対面するようにベース部材１４に取り付けられている。この接触電極１２ａは、一端部が差込経路１３の差込部１３ｂ内に突出して露出するとともに下方から差し込まれた電極棒１０９に接触して押し戻されることによりその差込部１３ｂ内から後退するバネ形状に作製されている。
【００３１】
このため、差込経路１３の差込部１３ｂ内に差し込まれた電極棒１０９は、接触電極１２ａが対面する接触電極１２ｂ側に押圧されてその間に挟持されることにより導通接触されるとともに脱落しないように保持される。なお、接触電極１２ｂには、外部から棒部材を差し込み可能に開口する差込孔１２ｅがベース部材１４と共に貫通するように形成されており、その棒部材を差込孔１２ｅ内に差し込むことにより差込経路１３の差込部１３ｂ内の電極棒１０９を押圧して接触電極１２ａを後退させることによりその電極棒１０９を容易に引き抜くことができるようになっている。
【００３２】
接触電極１２ｃは、差込経路１３の差込部１３ｂの下部側で端子部１１の内側に位置するようにベース部材１４に取り付けられており、接触電極１２ｄは、その差込経路１３の差込部１３ｂの下部側で端子部１１の外側に位置するとともにその接触電極１２ｃに対向して対面するようにベース部材１４に取り付けられている。この接触電極１２ｃは、縦断面がＪ形状になるように形成されてその一端部が差込経路１３の差込部１３ｂ内に突出して露出することにより下方から差し込まれた電極棒１０９に接触するように作製される一方、接触電極１２ｄは、背面側のベース部材１４に形成されているネジ孔１５ａに進退可能にする螺合する端子ネジ１５により差込経路１３の差込部１３ｂ側に向って押圧することができる。
【００３３】
このため、差込経路１３の差込部１３ｂ内に差し込まれた電極棒１０９は、接触電極１２ｄが端子ネジ１５により対面する接触電極１２ｃ側に押圧されることによりその間に挟持されて導通接触されるとともに脱落しないように保持される。なお、接触電極１２ｃは、縦断面がＪ形状に形成されることからバネ特性も備えることにより、端子ネジ１５により押される接触電極１２ｄが差込経路１３の差込部１３ｂ内の電極棒１０９を押し付けられる場合でも、弾性変形して接触電極１２ｄとの間で挟持することができ、接触導通する状態を維持することができるとともに、脱落不能に保持することができる。
【００３４】
これにより、端子部１１は、図４に示すように、差込経路１３の差込口１３ａから差込部１３ｂ内に引下電線１０７や引込電線１０８の電極棒１０９を差し込んで導通接続する際には、その差込経路１３の差込部１３ｂ内に差し込むだけで（手で支えるなどすることなく）、接触電極１２ａ、１２ｂの間で挟持しつつ導通接触させることができ、この後に、端子ネジ１５を捻じ込むだけで接触電極１２ｃ、１２ｄの間でも下方に引き抜き不能に挟持させて導通接触させることができる。すなわち、この端子部１１の接続端子１２は、接触電極１２ａ〜１２ｄで保持部を構成しており、そのうちの接触電極１２ａ、１２ｂが弾性保持部を構成するとともに、接触電極１２ｃ、１２ｄがネジ止め保持部を構成している。
【００３５】
このとき、差込経路１３の差込部１３ｂ内で接触電極１２ａ、１２ｂや接触電極１２ｃ、１２ｄの間で挟持される引下電線１０７や引込電線１０８の電極棒１０９は、棒状の電極であることから、引下電線１０７や引込電線１０８の導電体の撚り線のように変形してしまうことがなく、接触電極１２ａ〜１２ｄの接触側が後退することにより挟持する負荷が小さくなってしまうことを回避することができ、導通接続されている状態を信頼性高く維持することができる。
【００３６】
また、端子部１１は、接続端子１２の並列するベース部材１４が天板部材１６の下面に固設されており、この天板部材１６の一端側中央には、ナット２１を螺合させるボルト２２が立設されているとともに、このボルト２２の両側に突起２３が形成されることにより、後述するように取付金具４１に位置決めしつつ固定することができる。
【００３７】
そして、天板部材１６は、ベース部材１４の上面よりも大きく形成されることにより外方に突出して、短尺の一端辺側がベース部材１４の一端面を覆うように降下する壁部材１７に連設されているとともに、長尺の両側辺側もベース部材１４の両側面の上部を覆うように降下する上レール部材１８に連設されている。この上レール部材１８の反対側のベース部材１４の両側面の下側には、その両側面の下部を覆うように上昇する下レール部材１９が固設されており、この上レール部材１８と下レール部材１９の間に側面部材３１を挿脱可能に嵌め込むことができるように設計されている。
【００３８】
そのレール部材１８、１９は、ベース部材１４の側面から離隔して間に隙間を形成するように概略断面Ｌ字形状に作製されることにより対面する対面部１８ａ、１９ａを有するとともに、その対面部１８ａ、１９ａの内面にはベース部材１４の長手方向に延在する係合溝１８ｂ、１９ｂが刻設されている。
【００３９】
一方、側面部材３１は、図５に示すように、端子部１１のベース部材１４とレール部材１８、１９の間にスライド可能に嵌め込まれて取り付けられる一対のスライド部３２と、このスライド部３２のそれぞれを端子部１１のレール部材１８、１９間に取付可能な姿勢や間隔に連設保持するとともに取付金具４１に連結される連結部３６と、を備えている。
【００４０】
このスライド部３２は、ベース部材１４とレール部材１８、１９の間に嵌り込む案内部３３と、この案内部３３からレール部材１８、１９の対面部１８ａ、１９ａの対向面間を埋めるように連設されているとともに、ベース部材１４のネジ孔１５ａに螺合させて締め付けている状態の端子ネジ１５から離隔して接触しないように形成されているカバー部３４と、をそれぞれ備えており、その案内部３３の外面側には、レール部材１８、１９の係合溝１８ｂ、１９ｂ内に嵌り込む係合リブ３３ｂが形成されている。
【００４１】
また、連結部３６は、一対のスライド部３２を両側辺に立設された厚板形状に作製されており、そのスライド部３２をレール部材１８、１９との間にスライド自在に嵌め込むことによりベース部材１４の壁部材１７に対して近接・離隔可能に対面する。
【００４２】
これにより、端子部１１は、ベース部材１４の上面側が天板部材１６により、また、その一端面側が壁部材１７により覆われており、レール部材１８、１９間に嵌め込まれる側面部材３１のスライド部３２によりベース部材１４の側面側が覆われるのと同時に連結部３６によりその他端面側が覆われる状態にすることができる。すなわち、ベース部材１４の天板部材１６、壁部材１７、レール部材１８、１９および側面部材３１のスライド部３２および連結部３６と共に、そのベース部材１４自体の下部によりケース部材が構成されており、このベース部材１４は、側面部材３１の連結部３６に対して離隔する方向にスライドさせて引き出すことにより、その側面側の端子ネジ１５をスライド部３２内から外部に露出させてベース部材１４の下部側の差込口１３ａから差込部１３ｂ内に差し込まれて接触電極１２ａ、１２ｂ間で仮挟持する引下電線１０７や引込電線１０８の電極棒１０９を締め付けて導通接触させる接続作業を行うことができる。また、そのベース部材１４は、反対に側面部材３１の連結部３６に対して接近させる方向にスライドさせて押込むことにより、その接続端子１２を内部に内装する状態にするとともに端子ネジ１５を回転させる作業空間を閉塞することができる。
【００４３】
このとき、側面部材３１のスライド部３２は、案内部３３の外面側の係合リブ３３ｂをベース部材１４側面のレール部材１８、１９の係合溝１８ｂ、１９ｂ内にスライド可能に嵌め込んで保持することにより、そのベース部材１４側の荷重をレール部材１８、１９の双方に掛けることができ、レール部材１９側のみが支持する構造になって損傷・劣化の発生要因になることを回避している。なお、この側面部材３１の連結部３６は、端子部１１（ベース部材１４）が接近されたときには、天板部材１６やレール部材１９の突出部分を嵌め合わせることができるように切欠部３６ａ、３６ｂが形成されている。
【００４４】
また、この側面部材３１の連結部３６は、スライド部３２に対する背面側に、そのスライド部３２と平行な一対の切欠部３６ｃが形成されているとともに、この切欠部３６ａと直交する差込孔３６ｂが上下に形成されており、後述するように、その切欠部３６ａには取付金具４１の取付リブ４３が差し込まれるとともに差込孔３６ｂにはナット４５を螺合させる取付ネジ４４を差し込むことができる。
【００４５】
取付金具４１は、図６に示すように、側面部材３１の連結部３６に形成されている切欠部３６ｃ内に割り込ませて連結する取付リブ４３が立設されている台座部材４２と、一方向に延在する板状材料により作製されて天板部材１６の上面に配設されているボルト２２やその両側の突起２３により端子部１１を相対的に位置決めして保持する位置決め板４６と、を備えており、台座部材４２の取付リブ４３の上面に位置決め板４６の一端部が来るように溶接などして固設することにより組み立てられている。
【００４６】
この台座部材４２は、概略四角形状に形成されてその一面側には側面部材３１の連結部３６の切欠部３６ａに対応する離間間隔に取付リブ４３が平行に立設されているとともに、その取付リブ４３のさらに外側の両端辺４２ａが反対方向の他面側に屈曲されている。その取付リブ４３は、側面部材３１の連結部３６の差込孔３６ｂに対応して上下に離間する位置にナット４５を螺合させる取付ネジ４４を差し込む差込孔４３ａ、４３ｂが形成されているとともに、その差込孔４３ｂよりも台座部材４２側には、後述の締付ベルト１２０（図７を参照）を挿通可能に開口する挿通隙間４３ｃが形成されている。なお、側面部材３１の連結部３６の差込孔３６ｂと共に取付ネジ４４を差し込む差込孔４３ａ、４３ｂは、異なる形状で開口しており、差込孔４３ｂは差込孔４３ａ側を中心とする周方向に延在する長穴形状にすることにより、その取付ネジ４４を差込孔４３ａの後に容易に差し込むことができるように形成されている。また、台座部材４２は、両側辺４２ａが屈曲されるとともにその内面（他面）側に断面三角形の畝形状４２ｂがその側辺４２ａと平行に固設されることにより屈折強度が向上されている。
【００４７】
また、位置決め板４６は、端子部１１の天板部材１６と略同等の長さに設定されており、その天板部材１６上面のボルト２２を挿通してその延在方向（ベース部材１４内の接続端子１２の並列方向）にスライド可能に長穴に形成されて開口するスライド穴４７と、そのボルト２２の両側の突起２３を嵌め込み可能にその延在方向の複数箇所で開口する嵌込孔４８と、台座部材４２の取付リブ４３に溶接されている一端部側に従来の分岐端子箱１１０の取付用部品１０６（図９、図１３、図１４を参照）にネジ止め固定するために穿孔刻設された雌ネジ４９と、が配設されている。
【００４８】
ここで、締付ベルト１２０は、図７（ａ）および図７（ｂ）に示すように、電柱１０１に巻き付けるベルト状部材１２１と、このベルト状部材１２１の端部に連設されているＵ字部材１２２と、このＵ字部材１２２の胴体部を貫通する一端側にナット１２４の螺合する雄ネジ部１２３ａが形成されているとともに他端側にフック形状部１２３ｂを有するフック部材１２３と、を備えている。この締付ベルト１２０は、電柱１０１に巻き付けたベルト状部材１２１の先端側係合爪１２１ａをそのベルト状部材１２１の長さ方向に複数開口する引っ掛け穴１２１ｂ内に位置させて仮巻付するとともに、その別の引っ掛け穴１２１ｂにフック部材１２３のフック形状部１２３ｂを引っ掛けた後に、そのフック部材１２３の雄ネジ部１２３ａに螺合するナット１２４を締付方向に回転させることにより、電柱１０１への巻付長さを短くして緊締固定することができる。なお、この締付ベルト１２０のベルト状部材１２１は、図７（ｃ）に示すように、フック部材１２３のフック形状部１２３ｂを引っ掛け穴１２１ｂ内に引っ掛け易くするように、その引っ掛け穴１２１ｂの長さ方向に隣接する箇所を畝形状になるように湾曲させている。
【００４９】
これにより、分岐端子箱１０は、図８に示すように、取付金具４１の取付リブ４３の挿通隙間４３ｃに締付ベルト１２０のベルト状部材１２１を通して台座部材４２を電柱１０１の外面に押し付けるように締め付けて固定することができ、その取付金具４１に連結固定した側面部材３１のスライド部３２にベース部材１４のレール部材１８、１９を引き出し可能に支持させつつ、取付金具４１の位置決め板４６の嵌込孔４８に天板部材１６上面の突起２３を嵌め込んで位置決めするとともに、その位置決め板４６のスライド穴４７内に天板部材１６上面のボルト２２を差し込んでナット２１を螺合させることにより、水平姿勢に取付支持させることができる。
【００５０】
また、分岐端子箱１１０の取付用部品１０６は、図９に示すように、電柱１０１の腕金アーム１０５の下側に引っ掛け可能にコ字形状に形成されてその両端部にナット１３２を螺合させる雄ネジ部１３１ａが刻設されている引掛部材１３１と、この引掛部材１３１の雄ネジ部１３１ａを貫通させる貫通穴１３３ａが開口しているとともにその貫通穴１３３ａの離間方向に延在する板材料により作製されている止め板部材１３３と、を備えており、止め板部材１３３の貫通穴１３３ａの外側には、従来の分岐端子箱１１０をネジ止めして吊り下げるネジを貫通させる貫通穴１３３ｂが開口されている。なお、この取付用部品１０６の止め板部材１３３は、貫通穴１３３ａの離間方向と平行な両側辺１３３ｃが屈曲されることにより屈折強度が向上されている。
【００５１】
これにより、分岐端子箱１０は、図１０に示すように、その取付用部品１０６の止め板部材１３３の両側辺１３３ｃを上側に向ける姿勢で貫通穴１３３ｂにネジ５０を貫通させて、取付金具４１の位置決め板４６の雌ネジ４９に螺合させることにより従来の分岐端子箱１１０と同様に取付固定することができ、図１１に示すように、締付ベルト１２０を用いる場合と同様に、その取付金具４１に連結固定した側面部材３１のスライド部３２により引き出し可能に支持させつつ、取付金具４１の位置決め板４６の嵌込孔４８により位置決めするとともに、その位置決め板４６のスライド穴４７内に差し込んだ天板部材１６上面のボルト２２にナット２１を螺合させることにより、水平姿勢に取付支持させることができる。
【００５２】
したがって、分岐端子箱１０は、図１２（ａ）に示すように、電柱１０１や腕金アーム１０５に取付金具４１を水平な姿勢になるように取り付けた状態のまま、その取付金具４１の位置決め板４６のスライド穴４７内に差し込んだ天板部材１６上面のボルト２２に螺合させているナット２１を緩めることにより、その天板部材１６上面の突起２３を位置決め板４６の嵌込孔４８から離脱させて、図１２（ｂ）に示すように、取付金具４１の取付リブ４３に連結させた側面部材３１のスライド部３２にレール部材１８、１９を支持させつつ、端子部１１のベース部材１４の端子ネジ１５を外部に露出させるようにベース部材１４を引き出したり、その端子ネジ１５がその側面部材３１のスライド部３２内に隠れるように押込んで収容させることができる。また、端子部１１のベース部材１４を側面部材３１のスライド部３２内から引き出して任意の端子ネジ１５を外部に露出させた状態にしたときには、その天板部材１６上面の突起２３を位置決め板４６の嵌込孔４８内に嵌め込むとともに、その位置決め板４６のスライド穴４７内の天板部材１６上面のボルト２２にナット２１を螺合させることにより、その端子部１１のベース部材１４が自由にスライドしてしまうことを制限して、容易に作業可能にすることができる。
【００５３】
このように本実施形態においては、水平姿勢になるように側面部材３１のスライド部３２に支持されている端子部１１のベース部材１４をそのまま水平方向に引き出す構造にすることにより、そのベース部材１４内の両側面側に数多くの接続端子１２を配列することができる。また、そのベース部材１４の接続端子１２には、下部に開口する差込口１３ａ内に引下電線１０７や引込電線１０８の電極棒１０９を差し込むとともに端子ネジ１５により締め付けることにより、その差込口１３ａに差し込んだ電極棒１０９を接触電極１２ａ〜１２ｄに引き抜き不能に導通接続させることができるとともにその差込口１０３ａを閉塞することができ、この接続作業の後に、端子部１１のベース部材１４を側面部材３１のスライド部３２内に押し込むことによりその端子ネジ１５を内部に収容することができる。したがって、ネジを紛失したり破損し易いカバーを設けることなく、また、下部側に差込口１３ａを配設して内部に侵入する水分や塩分を少なくすることにより、端子ネジ１５や接続端子１２などが錆びるなど経年劣化することを遅らせることができ、分岐端子箱１０を長期間に亘って快適に利用して多くの電線を容易に追加接続することを可能にすることができる。
【産業上の利用可能性】
【００５４】
これまで本発明の一実施形態について説明したが、本発明は上述の実施形態に限定されず、その技術的思想の範囲内において種々異なる形態にて実施されてよいことは言うまでもない。
【図面の簡単な説明】
【００５５】
【図１】本発明に係る分岐端子箱の一実施形態を示す図であり、その概略全体構成を示す一部縦断面図である。
【図２】それに接続する電線の一例を示す平面図である。
【図３】その要部の部品を示す図であり、（ａ）はその一部縦断面図、（ｂ）はその上面図、（ｃ）はその側面図である。
【図４】その要部部品の要部構成を示す図であり、（ａ）は細めの電線を接続する場合を示す状態図、（ｂ）はその太めの電線を接続する場合を示す状態図である。
【図５】図４とは異なる要部の部品を示す図であり、（ａ）はその一部縦断面図、（ｂ）はその上面図、（ｃ）はその側面図である。
【図６】図４、図５とは異なる要部の部品を示す図であり、（ａ）はその上面図、（ｂ）はその側面図である。
【図７】その電柱への取付に用いる締付ベルトを示す図であり、（ａ）はそのベルトの平面方向から見た平面図、（ｂ）はそのベルトの対面方向から見た平面図、（ｃ）はそのベルトの縦断面図である。
【図８】その締付ベルトを用いて電柱に取り付けたときの状態を示す図であり、（ａ）はその側面図、（ｂ）はその上面図である。
【図９】図７と異なる腕金アームへの取付に用いる取付用部品を示す図であり、（ａ）はその腕金アームの延長方向から見た立面図、（ｂ）はその腕金アームの上方から見た平面図、（ｃ）はその腕金アームの側方から見た側面図である。
【図１０】その取付用部品に図６に示す要部部品を連結した状態を示す図であり、（ａ）はその側面図、（ｂ）はその上面図である。
【図１１】その取付用部品を用いて腕金アームに取り付けたときの状態を示す図であり、（ａ）はその側面図、（ｂ）はその上面図である。
【図１２】その利用時の状態を示す図であり、（ａ）は電柱などへの設置時の要部の状態を示す透視上面図、（ｂ）はその電線の接続作業時の要部の状態を示す透視上面図である。
【図１３】従来の腕金アームに設置する分岐端子箱を示す立面図である。
【図１４】その分岐端子箱を示す図であり、（ａ）はカバーの外観を示す正面図、（ｂ）はそのカバーの外観や内部を示す一部断面側面図である。
【図１５】その分岐端子箱内の端子を示す図であり、（ａ）はその正面図、（ｂ）はその側面図である。
【符号の説明】
【００５６】
１２ａ-１２ｄ……接触電極    １０……分岐端子箱    １１……端子部    １２……接続端子    １２ａ〜１２ｄ……接触電極    １２ｅ……差込孔    １３……差込経路    １３ａ……差込口    １３ｂ……差込部    １３ｃ……内面    １４……ベース部材    １５……端子ネジ    １６……天板部材    １７……壁部材    １８、１９……レール部材    １８ｂ、１８ｂ……係合溝    ２１……ナット    ２２……ボルト    ２３……突起    ３１……側面部材    ３２……スライド部    ３３……案内部    ３３ｂ……係合リブ    ３４……カバー部    ３６……連結部    ３６ａ、３６ｃ……切欠部    ３６ｂ、４３ａ、４３ｂ……差込孔    ４１……取付金具    ４２……台座部材    ４３……取付リブ    ４３ｃ……挿通隙間    ４４……取付ネジ    ４５……ナット    ４６……位置決め板    ４７……スライド穴    ４８……嵌込孔    ４９……雌ネジ    ５０……ネジ    １０１……電柱    １０５……腕金アーム    １０６……取付用部品    １０７……引下電線    １０８……引込電線    １０９……電極棒    １２０……締付ベルト    １４０……円筒部材    １４０ａ……外周部
【図１】
2009207221.tif 000003
【図２】
2009207221.tif 000004
【図３】
2009207221.tif 000005
【図４】
2009207221.tif 000006
【図５】
2009207221.tif 000007
【図６】
2009207221.tif 000008
【図７】
2009207221.tif 000009
【図８】
2009207221.tif 000010
【図９】
2009207221.tif 000011
【図１０】
2009207221.tif 000012
【図１１】
2009207221.tif 000013
【図１２】
2009207221.tif 000014
【図１３】
2009207221.tif 000015
【図１４】
2009207221.tif 000016
【図１５】
2009207221.tif 000017